(57)【特許請求の範囲】
【請求項１】
基地局装置と通信するユーザ機器であって、
複数のダウンリンクのコンポーネントキャリアに対するチャンネル状態情報の報告をトリガするための値がセットされた情報を受信する受信部と、
前記情報に基づいて、前記複数のダウンリンクのコンポーネントキャリアに対するチャンネル状態情報の報告を行なう送信部と、
前記複数のダウンリンクのコンポーネントキャリアのそれぞれに対するチャンネル状態情報を連結し、
サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する決定部と、を備え、
前記サイクリックリダンダンシーチェック（ＣＲＣ）ビットの数は、前記連結したチャンネル状態情報のビットの数に基づいており、
前記連結したチャンネル状態情報のビットの数が１２である場合、前記ＣＲＣビットの数は８であり、
前記送信部は、前記複数のダウンリンクのコンポーネントキャリアに対するチャンネル状態情報を、上りリンクデータ、および、ＨＡＲＱ−ＡＣＫ／ＮＡＣＫの情報と共に、ある１つのサブフレームにおいて、物理上りリンク共用チャネル（ＰＵＳＣＨ）を用いて送信し、
前記複数のダウンリンクのコンポーネントキャリアに対するチャンネル状態情報と共に送信される前記ＨＡＲＱ−ＡＣＫ／ＮＡＣＫの情報は、アップリンクの復調基準信号の周辺の前記物理上りリンク共用チャネル（ＰＵＳＣＨ）のリソースにマップされる
ユーザ機器。
【請求項２】
前記チャンネル状態情報は、チャンネル品質インジケータである
請求項１に記載のユーザ機器。
【請求項３】
前記チャンネル状態情報は、チャンネル品質インジケータ、および、プリコーディングマトリクスインジケータである
請求項１に記載のユーザ機器。
【請求項４】
ユーザ機器と通信する基地局装置であって、
複数のダウンリンクのコンポーネントキャリアに対するチャンネル状態情報の報告をトリガするための値にセットした情報を送信する送信部と、
前記情報に基づいて、前記複数のダウンリンクのコンポーネントキャリアに対するチャンネル状態情報を受信する受信部と、
前記複数のダウンリンクのコンポーネントキャリアのそれぞれに対するチャンネル状態情報を連結し、
サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する決定部と、を備え、
前記サイクリックリダンダンシーチェック（ＣＲＣ）ビットの数は、前記連結したチャンネル状態情報のビットの数に基づいており、
前記連結したチャンネル状態情報のビットの数が１２である場合、前記ＣＲＣビットの数は８であり、
前記受信部は、前記複数のダウンリンクのコンポーネントキャリアに対するチャンネル状態情報を、上りリンクデータ、および、ＨＡＲＱ−ＡＣＫ／ＮＡＣＫの情報と共に、ある１つのサブフレームにおいて、物理上りリンク共用チャネル（ＰＵＳＣＨ）を用いて受信し、
前記複数のダウンリンクのコンポーネントキャリアに対するチャンネル状態情報と共に受信される前記ＨＡＲＱ−ＡＣＫ／ＮＡＣＫの情報は、アップリンクの復調基準信号の周辺の前記物理上りリンク共用チャネル（ＰＵＳＣＨ）のリソースにマップされる
基地局装置。
【請求項５】
前記チャンネル状態情報は、チャンネル品質インジケータである
請求項４に記載の基地局装置。
【請求項６】
前記チャンネル状態情報は、チャンネル品質インジケータ、および、プリコーディングマトリクスインジケータである
請求項４に記載の基地局装置。
【請求項７】
基地局装置と通信するユーザ機器に搭載される集積回路であって、
複数のダウンリンクのコンポーネントキャリアに対するチャンネル状態情報の報告をトリガするための値がセットされた情報を受信する機能と、
前記情報に基づいて、前記複数のダウンリンクのコンポーネントキャリアに対するチャンネル状態情報の報告を行なう報告機能と、
前記複数のダウンリンクのコンポーネントキャリアのそれぞれに対するチャンネル状態情報を連結し、
サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する機能と、を前記ユーザ機器に発揮させ、
前記サイクリックリダンダンシーチェック（ＣＲＣ）ビットの数は、前記連結したチャンネル状態情報のビットの数に基づいており、
前記連結したチャンネル状態情報のビットの数が１２である場合、前記ＣＲＣビットの数は８であり、
前記報告機能は、前記複数のダウンリンクのコンポーネントキャリアに対するチャンネル状態情報を、上りリンクデータ、および、ＨＡＲＱ−ＡＣＫ／ＮＡＣＫの情報と共に、１つのサブフレームにおいて、物理上りリンク共用チャネル（ＰＵＳＣＨ）を用いて報告する機能であり、
前記複数のダウンリンクのコンポーネントキャリアに対するチャンネル状態情報と共に報告する前記ＨＡＲＱ−ＡＣＫ／ＮＡＣＫの情報は、アップリンクの復調基準信号の周辺の前記物理上りリンク共用チャネル（ＰＵＳＣＨ）のリソースにマップされる
集積回路。
【請求項８】
前記チャンネル状態情報は、チャンネル品質インジケータである
請求項７に記載の集積回路。
【請求項９】
前記チャンネル状態情報は、チャンネル品質インジケータ、および、プリコーディングマトリクスインジケータである
請求項７に記載の集積回路。
【請求項１０】
ユーザ機器と通信する基地局装置に搭載される集積回路であって、
複数のダウンリンクのコンポーネントキャリアに対するチャンネル状態情報の報告をトリガするための値にセットした情報を送信する機能と、
前記情報に基づいて、前記複数のダウンリンクのコンポーネントキャリアに対するチャンネル状態情報を受信する受信機能と、
前記複数のダウンリンクのコンポーネントキャリアのそれぞれに対するチャンネル状態情報を連結し、
サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する機能と、を前記基地局装置に発揮させ、
前記サイクリックリダンダンシーチェック（ＣＲＣ）ビットの数は、前記連結したチャンネル状態情報のビットの数に基づいており、
前記連結したチャンネル状態情報のビットの数が１２である場合、前記ＣＲＣビットの数は８であり、
前記受信機能は、前記複数のダウンリンクのコンポーネントキャリアに対するチャンネル状態情報を、上りリンクデータ、および、ＨＡＲＱ−ＡＣＫ／ＮＡＣＫの情報と共に、１つのサブフレームにおいて、物理上りリンク共用チャネル（ＰＵＳＣＨ）を用いて受信する機能であり、
前記複数のダウンリンクのコンポーネントキャリアに対するチャンネル状態情報と共に受信する前記ＨＡＲＱ−ＡＣＫ／ＮＡＣＫの情報は、アップリンクの復調基準信号の周辺の前記物理上りリンク共用チャネル（ＰＵＳＣＨ）のリソースにマップされる
集積回路。
【請求項１１】
前記チャンネル状態情報は、チャンネル品質インジケータである
請求項１０に記載の集積回路。
【請求項１２】
前記チャンネル状態情報は、チャンネル品質インジケータ、および、プリコーディングマトリクスインジケータである
請求項１０に記載の集積回路。
【発明の詳細な説明】
【技術分野】
【０００１】
本発明は、通信技術に関し、特に、アップリンク制御情報のためのユーザ機器、基地局装置、通信システム、および移動通信の方法に関する。
【背景技術】
【０００２】
３ＧＰＰ（第３世代パートナープロジェクト）標準化団体は、ＬＴＥ（Ｌｏｎｇ  Ｔｅｒｍ  Ｅｖｏｌｕｔｉｏｎ；ロングタームエボリューション）と呼ばれる次世代の無線通信規格の検討を進めている。物理層のインターフェイスにおいて、この新規格は、従来のＣＤＭＡ（Ｃｏｄｅ  Ｄｉｖｉｓｉｏｎ  Ｍｕｌｔｉｐｌｅ  Ａｃｃｅｓｓ；符号分割多元接続）技術とは異なるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）技術を採用している。ＬＴＥにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；直交周波数分割多元接続）は、ダウンリンク（ＤＬ）で使用され、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）は、アップリンク（ＵＬ）で使用される。この新規格に用いられる技術は、従来の時間領域等化の複雑性を軽減する周波数領域等化を採用することで、多重伝搬に有効であり、より帯域幅の広い高速データ伝送に適している。
【０００３】
また、３ＧＰＰは、ＬＴＥへの主な機能強化として有望なＬＴＥ−Ａｄｖａｎｃｅｄ（Ａｄｖａｎｃｅｄ−ＬＴＥ）の検討も進めている。ＬＴＥ−Ａｄｖａｎｃｅｄは、ＬＴＥのリリース９における訂正および改善の段階の後に、リリース１０に導入される見込みである。ＬＴＥ−Ａｄｖａｎｃｅｄは、ＩＴＵ（Ｉｎｔｅｒｎａｔｉｏｎａｌ  Ｔｅｌｅｃｏｍｍｕｎｉｃａｔｉｏｎ  Ｕｎｉｏｎ；国際電気通信連合）によって規定された要件を満たさなければならない。
【０００４】
ＬＴＥ−Ａｄｖａｎｃｅｄでは、例えば、ダウンリンクの共同マルチポイント（ＣｏＭＰ）の通信、キャリアアグリゲーション、および／または、さらに高次のＭＩＭＯにより、ＵＣＩ（Ｕｐｌｉｎｋ  Ｃｏｎｔｒｏｌ  Ｉｎｆｏｒｍａｔｉｏｎ；アップリンク制御情報、例えば、ＨＡＲＱ−ＡＣＫ／ＮＡＣＫ、ＣＱＩ（Ｃｈａｎｎｅｌ  Ｑｕａｌｉｔｙ
Ｉｎｄｉｃａｔｏｒ；チャンネル品質インジケータ）、ＰＭＩ（Ｐｒｅｃｏｄｉｎｇ  Ｍａｔｒｉｘ  Ｉｎｄｉｃａｔｏｒ；プリコーディングマトリクスインジケータ、例えば、広帯域および／または長期間のチャンネル特性に対処するＷ＿１と、有効なチャンネルの瞬時的な特性を整合化するＷ＿２との二種類のチャンネル特性によって示される）、ＲＩ（Ｒａｎｋ  ｉｎｄｉｃａｔｉｏｎ；ランクインジケーション））のサイズが急速に増大する。
【０００５】
２つ以上のコンポーネントキャリアが集約されるキャリアアグリゲーションは、２０ＭＨｚより大きく、１００ＭＨｚまでの送信帯域幅に対応するために、ＬＴＥ−Ａｄｖａｎｃｅｄにおいて考慮される（下記の非特許文献１参照）。ＵＥの観点から、スケジューリングされたコンポーネントキャリアごとに、１つのトランスポートブロック（空間多重化がなされない場合）と１つのＨＡＲＱエンティティが存在する。ＵＥは、複数のコンポーネントキャリアにおいてスケジューリングされることができ、各トランスポートブロックは、単一のコンポーネントキャリア内にマッピングされる。
【０００６】
ＬＴＥ−Ａｄｖａｎｃｅｄの現在の想定によれば、アップリンク多重接続は、以下の特性を有する（下記非特許文献２を参照）。ＬＴＥ−Ａｄｖａｎｃｅｄのアップリンク伝送には、複数の送信アンテナが使用され、ＤＦＴ（Ｄｉｓｃｒｅｔｅ  Ｆｏｕｒｉｅｒ  ｔｒａｎｓｆｏｒｍ；離散フーリエ変換）プリコーディング化ＯＦＤＭは、空間多重化がなされる場合となされない場合とにおいて、ＰＵＳＣＨ（Ｐｈｙｓｉｃａｌ  Ｕｐｌｉｎｋ
Ｓｈａｒｅｄ  Ｃｈａｎｎｅｌ；物理アップリンク共有チャンネル）に使用される伝送方式である。複数のコンポーネントキャリアの場合は、コンポーネントキャリアごとに、１つのＤＦＴが存在する。周波数連続的なリソースの配分および周波数非連続的なリソースの配分は、ともに各コンポーネントキャリア上でサポートされている。アップリンクのＬ１／Ｌ２制御シグナリングとデータ（例えば、ＵＬ−ＳＣＨ（Ｕｐｌｉｎｋ  Ｓｈａｒｅｄ  Ｃｈａｎｎｅｌ；アップリンク共有チャンネル）のトランスポートブロック、ＵＬ−ＳＣＨ（アップリンク共有チャンネル）のデータ））の同時送信は、次の２つのメカニズムを介してサポートされている。すなわち、（１）制御シグナリングは、リリース８と同様の原理に基づき、ＰＵＳＣＨ上でデータと多重化される、（２）ＰＵＳＣＨ上のデータと同時に、制御シグナリングは、ＰＵＣＣＨ（Ｐｈｙｓｉｃａｌ  Ｕｐｌｉｎｋ  Ｃｏｎｔｒｏｌ  Ｃｈａｎｎｅｌ；物理アップリンク制御チャンネル）上を通じて送信される。
【０００７】
ＰＵＳＣＨ上におけるＵＣＩ（Ｕｐｌｉｎｋ  Ｃｏｎｔｒｏｌ  Ｉｎｆｏｒｍａｔｉｏｎ；アップリンク制御情報）の多重化に関して、複数のコードワードの複数の層（レイヤ）上におけるＵＣＩ伝送に対処する方法が、いくつかの文献で提案されている（非特許文献３を参照）。複数の送信アンテナのためのＰＵＳＣＨ上におけるＵＣＩおよびデータの多重化方式において、ＵＥは、ＬＴＥのリリース８における単一のアンテナによるＰＵＳＣＨの伝送では問題にならなかったいくつかの状況を考慮に入れる必要がある。例えば、ＵＣＩは、４つの層すべての上にマッピングされているか、１つの選択されたコードワードの２つの層上にマッピングされているか、１つの選択されたコードワードの１つの層上にマッピングされている。これらの技術は、いずれも、単に、物理層の処理に焦点を当てているにすぎず、いかなるスケジューリングやチャンネル符号化に関連した手続きも伴わない。
【先行技術文献】
【非特許文献】
【０００８】
【非特許文献１】“Ｃａｒｒｉｅｒ  ａｇｇｒｅｇａｔｉｏｎ  ｉｎ  ＬＴＥ−  Ａｄｖａｎｃｅｄ”，  ３ＧＰＰ  ＴＳＧ  ＲＡＮ  ＷＧｌ  Ｍｅｅｔｉｎｇ  ＃５３ｂｉｓ，  Ｒｌ−０８２４６８，  Ｊｕｎｅ，  ２００８．
【非特許文献２】“３ＧＰＰ  ＴＳＧ  ＲＡＮ  Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）”，  ３ＧＰＰ  ＴＳ  ３６．８１４  Ｖ２．０．１，  ２０１０−０３．
【非特許文献３】“Ｆｕｒｔｈｅｒ  Ｄｉｓｃｕｓｓｉｏｎ  ｏｎ  Ｄａｔａ  ａｎｄ  Ｃｏｎｔｒｏｌ  Ｍｕｌｔｉｐｌｅｘｉｎｇ  ｉｎ  ＵＬ  ＭＩＭＯ  Ｔｒａｎｓｍｉｓｓｉｏｎｓ”，  ３ＧＰＰ  ＴＳＧ  ＲＡＮ  ＷＧｌ  Ｍｅｅｔｉｎｇ  ＃６１，  Ｒｌ−１０３０３７，  Ｍａｙ，  ２０１０．
【発明の概要】
【発明が解決しようとする課題】
【０００９】
しかしながら、上記従来技術では、ＬＴＥ−ＡｄｖａｎｃｅｄにおけるＰＵＳＣＨ上のＵＣＩに対するチャンネル符号化が考慮されていなかった。また、複数のアップリンク送信アンテナが存在する状況下で、ＰＵＳＣＨ上の増大したＵＣＩに対するチャンネル符号化を効率的に対処する方法について、具体的な説明がない。
【００１０】
上記従来技術の中には、異なるコンポーネントキャリアのスケジューリング状況を考慮して、ＰＵＣＣＨ上のＵＣＩをフィードバックする試みがなされているものもあるが、ＰＵＳＣＨ上のＵＣＩについて、いかなる状況も考慮されていなかった。他の従来技術は、アップリンクのマルチアンテナ伝送によって引き起こされるＰＵＳＣＨ上のＵＣＩの問題、およびそれに対する解決策について述べているが、チャンネル符号化の手続きに関係しているものではなかった。
【００１１】
本発明は、上記事情に鑑みてなされたものであり、その目的は、ＵＣＩの効率的なチャンネル符号化方式を実行し、ｅＮＢとＵＥとの間でより効率的な伝送制御（スケジューリング）を実現するユーザ機器、基地局装置、通信システム、および移動通信方法を提供することにある。
【課題を解決するための手段】
【００１２】
本発明によれば、基地局および移動局は、ＵＣＩの効率的なチャンネル符号化方式を実行し、ｅＮＢとＵＥとの間でより効率的な伝送制御（スケジューリング）を実現することができる。
【００１３】
本発明のユーザ機器においては、基地局装置と通信するユーザ機器であって、複数のダウンリンクのコンポーネントキャリアに対するチャンネル状態情報の報告をトリガするための値がセットされた情報を受信する受信部と、前記情報に基づいて、前記複数のダウンリンクのコンポーネントキャリアに対するチャンネル状態情報の報告を、ある１つのサブフレームにおいて行なう送信部と、前記複数のダウンリンクのコンポーネントキャリアのそれぞれに対するチャンネル状態情報を連結し、サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する決定部と、を備え、前記サイクリックリダンダンシーチェック（ＣＲＣ）ビットの数は、前記連結したチャンネル状態情報のビットの数に基づく、ことを特徴とする。
【００１４】
また、本発明のユーザ機器においては、前記チャンネル状態情報は、チャンネル品質インジケータである、ことを特徴とする。
【００１５】
また、本発明のユーザ機器においては、前記チャンネル状態情報は、チャンネル品質インジケータ、および、プリコーディングマトリクスインジケータである、ことを特徴とする。
【００１６】
本発明の基地局装置においては、ユーザ機器と通信する基地局装置であって、複数のダウンリンクのコンポーネントキャリアに対するチャンネル状態情報の報告をトリガするための値にセットした情報を送信する送信部と、前記情報に基づいて、前記複数のダウンリンクのコンポーネントキャリアに対するチャンネル状態情報の受信を、ある１つのサブフレームにおいて行なう送信部と、前記複数のダウンリンクのコンポーネントキャリアのそれぞれに対するチャンネル状態情報を連結し、サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する決定部と、を備え、前記サイクリックリダンダンシーチェック（ＣＲＣ）ビットの数は、前記連結したチャンネル状態情報のビットの数に基づく、ことを特徴とする。
【００１７】
また本発明の基地局装置においては、前記チャンネル状態情報は、チャンネル品質インジケータである、ことを特徴とする。
【００１８】
また本発明の基地局装置においては、前記チャンネル状態情報は、チャンネル品質インジケータ、および、プリコーディングマトリクスインジケータである、ことを特徴とする。
【００１９】
本発明の集積回路においては、基地局装置と通信するユーザ機器に搭載される集積回路であって、複数のダウンリンクのコンポーネントキャリアに対するチャンネル状態情報の報告をトリガするための値がセットされた情報を受信する機能と、前記情報に基づいて、前記複数のダウンリンクのコンポーネントキャリアに対するチャンネル状態情報の報告を、ある１つのサブフレームにおいて行なう機能と、前記複数のダウンリンクのコンポーネントキャリアのそれぞれに対するチャンネル状態情報を連結し、サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する機能と、を前記ユーザ機器に発揮させ、前記サイクリックリダンダンシーチェック（ＣＲＣ）ビットの数は、前記連結したチャンネル状態情報のビットの数に基づく、ことを特徴とする。
【００２０】
また本発明の集積回路においては、前記チャンネル状態情報は、チャンネル品質インジケータである、ことを特徴とする。
【００２１】
また本発明の基地局装置においては、前記チャンネル状態情報は、チャンネル品質インジケータ、および、プリコーディングマトリクスインジケータである、ことを特徴とする。
【００２２】
本発明の集積回路においては、ユーザ機器と通信する基地局装置に搭載される集積回路であって、複数のダウンリンクのコンポーネントキャリアに対するチャンネル状態情報の報告をトリガするための値にセットした情報を送信する機能と、前記情報に基づいて、前記複数のダウンリンクのコンポーネントキャリアに対するチャンネル状態情報の受信を、ある１つのサブフレームにおいて行なう機能と、前記複数のダウンリンクのコンポーネントキャリアのそれぞれに対するチャンネル状態情報を連結し、サイクリックリダンダンシーチェック（ＣＲＣ）ビットを前記連結したチャンネル状態情報のビットに付加することによって得られるビット数を用いて、前記複数のダウンリンクのコンポーネントキャリアに対するチャンネル状態情報の符号化シンボルの数を決定する機能と、を前記基地局装置に発揮させ、前記サイクリックリダンダンシーチェック（ＣＲＣ）ビットの数は、前記連結したチャンネル状態情報のビットの数に基づく、ことを特徴とする。
【００２３】
また本発明の集積回路においては、前記チャンネル状態情報は、チャンネル品質インジケータである、ことを特徴とする。
【００２４】
また本発明の集積回路においては、前記チャンネル状態情報は、チャンネル品質インジケータ、および、プリコーディングマトリクスインジケータである、ことを特徴とする。
【００２５】
前述および他の目的、特徴、および本発明の利点は、添付の図面とともに、本発明の以下の詳細な説明を考慮することによって、より容易に理解されるであろう。
【図面の簡単な説明】
【００２６】
【図１】データおよび制御の多重化におけるフローチャートの一例である。
【図２】データおよび制御のインターリーブにおけるレイアウトの一例である。
【図３】キャリアアグリゲーションが可能なシステムの一例である。
【図４】ＰＵＳＣＨ上でのＣＳＩのフィードバックのためのトリガ機構における第１の例である。
【図５】ＰＵＳＣＨ上でのＣＳＩのフィードバックのためのトリガ機構における第２の例である。
【図６】ＰＵＳＣＨ上でのＣＳＩのフィードバックのためのトリガ機構における第３の例である。
【図７】ＰＵＳＣＨ上でのＣＳＩのフィードバックのためのチャンネル符号化におけるフローチャートの第１の例である。
【図８】ＰＵＳＣＨ上でのＣＳＩのフィードバックのためのチャンネル符号化におけるフローチャートの第２の例である。
【図９】ＰＵＳＣＨ上でのＣＳＩのフィードバックのためのチャンネル符号化におけるフローチャートの第３の例である。
【図１０】ＰＵＳＣＨ上におけるＨＡＲＱ−ＡＣＫ／ＮＡＣＫおよびＲＩフィードバックのためのチャンネル符号化におけるフローチャートの一例である。
【図１１】本発明に基づく基地局の概略構成の例を示す機能ブロック図である。
【図１２】本発明に基づくユーザ機器の概略構成の例を示す機能ブロック図である。
【発明を実施するための形態】
【００２７】
本発明の実施形態は、図面を参照することによって最適に理解されるであろう。図面全体を通して、同じ部材には同じ番号を付記する。上記に掲載された図面は、この詳細な説明の一部として明示的に組み込まれているものである。
【００２８】
本発明の構成要素は、これら図面において一般に説明および図示されているように、様々な異なった構成で配置および設計することができることが容易に理解されるであろう。従って、本発明の方法およびシステムの実施形態における以下の詳細な説明は、本発明の範囲を限定することを意図するものではなく、単に本発明の現在の好ましい実施形態を表すものにすぎない。
【００２９】
本発明をよく理解するために、まず、図１に基づき、ＬＴＥのリリース８のシステムにおけるＰＵＳＣＨを介したＵＣＩ（例えば、チャンネル品質情報（ＣＱＩおよび／またはＰＭＩ）、ＨＡＲＱ−ＡＣＫ／ＮＡＣＫ、ランクインジケーション）の伝送を例に挙げて説明する。
【００３０】
エラー検出は、周期的冗長検査（ＣＲＣ：Ｃｙｃｌｉｃ  Ｒｅｄｕｎｄａｎｃｙ  Ｃｈｅｃｋ，サイクリックリダンダンシーチェック）を介して、ＵＬ−ＳＣＨのトランスポートブロック（すなわち、アップリンクの送信データ、ＵＬ−ＳＣＨのデータ）において与えられる。ブロック全体が、ＣＲＣのパリティビットを計算するために使用される。パリティビットは、トランスポートブロックＣＲＣ付加機能Ｓ１０１で計算され、ＵＬ−ＳＣＨのトランスポートブロックに付加される。コードブロック分割およびコードブロックＣＲＣ付加機能Ｓ１０２において、入力ビットが複数のコードブロックに分割され、ＣＲＣのパリティビットが計算されて、各コードブロックに付加される。コードブロックは、チャンネル符号化機能Ｓ１０３に送られる。このチャンネル符号化機能Ｓ１０３では、各コードブロックは、速度が１／３のターボ符号化を実行して個別に符号化される。ターボ符号化ブロックは、レートマッチング機能Ｓ１０４に送られる。このレートマッチング機能Ｓ１０４では、各符号化ブロックは、ＬＴＥのリリース８において定められている手順に基づいて、個別にレートマッチングされる。すべての符号化ブロックのビットは、コードブロック連結機能Ｓ１０５において連結される。上述の機能Ｓ１０１〜Ｓ１０５は、ＵＬ−ＳＣＨにおけるアップリンク送信データのためのチャンネル符号化手順として実行される。
【００３１】
制御データ（すなわち、ＵＣＩ）は、チャンネル品質情報（ＣＱＩおよび／またはＰＭＩ）、ＨＡＲＱ−ＡＣＫ／ＮＡＣＫ、およびランクインジケーションとして、チャンネル符号化部に受信される。制御情報に対する異なる符号化率（コーディングレート）は、各制御情報の伝送に対して、異なる数の符号化シンボルを割り当てることによって実現される。制御データが、ＰＵＳＣＨを介して送信される場合、ＨＡＲＱ−ＡＣＫ／ＮＡＣＫ、ランクインジケーション、およびチャンネル品質情報に対するチャンネル符号化は、それぞれ独立して実行される。例えば、図１に示されるように、チャンネル品質情報ビットは、チャンネル符号化機能Ｓ１０６に入力される。このチャンネル符号化機能Ｓ１０６では、チャンネル品質情報のペイロードのサイズ（ｋ）が１１ビット以下である場合、ＣＲＣの付加やレートマッチングを実行することなく、チャンネル符号化は、ブロック符号化（３２，ｋ）として行われる。一方、チャンネル品質情報のペイロードサイズが１１ビットより大きい場合は、テイルバイティング畳み込み符号化が行われ、それに応じてＣＲＣの付加およびレートマッチングが実行される。
【００３２】
チャンネル品質情報ビットとデータビットとは、データおよび制御の多重化機能Ｓ１０９にて多重化される。チャンネル品質情報ビットは、単純な直列連結によって、データビットと多重化され、下記の図２に示すように、単純な時間優先マッピングのルールによって物理リソースへと完全にマッピングされる。
【００３３】
ＨＡＲＱ−ＡＣＫ／ＮＡＣＫビットは、チャンネル符号化機能Ｓ１０７に入力される。このチャンネル符号化機能Ｓ１０７では、１ビットのＨＡＲＱ−ＡＣＫ／ＮＡＣＫの場合、反復符号化が行われる。また、２ビットのＨＡＲＱ−ＡＣＫ／ＮＡＣＫの場合は、任意の循環式の反復によって、（３，２）シンプレックス符号化が行われる。
【００３４】
ランクインジケーションビットは、チャンネル符号化機能Ｓ１０８に入力される。このチャンネル符号化機能Ｓ１０８では、１ビットのＨＡＲＱ−ＡＣＫ／ＮＡＣＫの場合、反復符号化が行われる。また、２ビットのＨＡＲＱ−ＡＣＫ／ＮＡＣＫの場合は、任意の循環式の反復によって、（３，２）シンプレックス符号化が行われる。
【００３５】
チャンネル符号化制御ビットおよびデータビットは、図２に示されるように、物理チャンネルの処理（例えば、スクランブリング、変調、トランスフォームプリコーディング、およびリソース要素のマッピング等）に先立ち、チャンネルインタリーバＳ１１０にて多重化される。図２に、物理リソースに対するＵＣＩおよびデータのマッピングの一例を示す。図２において、各正方形は変調シンボルを表す。各シンボル上において、複数のビットがＭＣＳ（Ｍｏｄｕｌａｔｉｏｎ  ａｎｄ  Ｃｏｄｉｎｇ  Ｓｃｈｅｍｅ；変調符号化方式）指令に基づいてマッピングされる。例えば、ＱＰＳＫに対しては、２ビットがマッピングされる。
【００３６】
ＰＵＳＣＨに対するリソース要素のマッピングに関連して、チャンネルインタリーバは、ＨＡＲＱ−ＡＣＫ／ＮＡＣＫの情報が、サブフレームにおける両スロットに存在し、アップリンクの復調基準信号の周辺のリソースへマッピングされることを確認しながら、送信波形に対する変調シンボルの時間優先マッピングを実行する。なお、単純な直列連結がなされたチャンネル品質情報およびデータビットは、インタリーバの要素へマッピングされ、ＨＡＲＱ−ＡＣＫ／ＮＡＣＫビットは、その伝送のために、複数の要素をパンクチャする。
【００３７】
すなわち、ＵＥがＰＵＳＣＨを介して基地局にＵＣＩ（チャンネル品質情報（ＣＱＩおよび／またはＰＭＩ）、ＨＡＲＱ−ＡＣＫ／ＮＡＣＫ、およびランクインジケーション）を送信する場合、ＵＣＩは、図２に示されるように、ＵＥによってＰＵＳＣＨリソースへマッピングされる。
【００３８】
具体的には、ＵＣＩは、基地局によって割り当てられたＰＵＳＣＨのリソースと同じサイズのマトリクスへ、ＵＥによってマッピングされる。まず、ランクインジケーションがサブフレーム内で伝送される場合、ＵＥは、図２に示されるように、ランクインジケーションをマトリクスへマッピングする。例えば、ランクインジケーションは、ＵＥによってＨＡＲＱ−ＡＣＫ／ＮＡＣＫの情報の隣にマッピングされる。
【００３９】
次に、ＵＥは、図２に示されるように、チャンネル品質情報（ＣＱＩおよび／またはＰＭＩ）およびデータをマトリクスへマッピングする。図２に示されるように、チャンネル品質情報は、前もってデータに連結され（時間優先マッピング）、ＵＥによってマトリクスへマッピングされている。ここで、チャンネル品質情報およびデータは、他の情報をスキップすることによってマトリクスへマッピングされる。
【００４０】
次に、ＨＡＲＱ−ＡＣＫ／ＮＡＣＫの情報がサブフレーム内で伝送される場合、ＵＥは、図２に示されるように、ＨＡＲＱ−ＡＣＫ／ＮＡＣＫの情報をマトリクスへマッピングする。例えば、ＨＡＲＱ−ＡＣＫ／ＮＡＣＫの情報は、ＵＥによって基準信号の隣にマッピングされる。ここで、ＨＡＲＱ−ＡＣＫ／ＮＡＣＫの情報は、他の情報を上書きすることによってマトリクスへマッピングされる。
【００４１】
ここで、ＵＥはマトリクスに対してＤＦＴ処理を行うので、マトリクスは周波数領域に展開される。
【００４２】
また、図２に示されるシステムは、１つのペアのＵＬ／ＤＬのコンポーネントキャリア（すなわち、コンポーネントキャリアが１つしかない場合のアップリンク制御情報）を用いる場合しか考慮していないが、効果的なチャンネル符号化性能を行うためには、複数のペアのＵＬ／ＤＬ（複数のコンポーネントキャリアからなる）で構成されるシステムを使用する必要がある（すなわち、多重チャンネル符号化のアップリンク制御情報）。
【００４３】
この効果を、いくつかのコンポーネントキャリアからなる、より広い送信帯域幅に対応したシステム（キャリアアグリゲーションに対応したシステム）を用いて図３に示す。図３に示す例として、３つのダウンリンクのコンポーネントキャリア（ＤＬ  ＣＣ１、ＤＬ
ＣＣ２、およびＤＬ  ＣＣ３）および３つのアップリンクのコンポーネントキャリア（ＵＬ  ＣＣ１、ＵＬ  ＣＣ２、およびＵＬ  ＣＣ３）が表されている。基地局およびＵＥは、複数のコンポーネントキャリアを利用することによって、ＤＬ／ＵＬのデータ伝送を行うことができる。
【００４４】
図３において、基地局は、ＰＤＣＣＨを用いて、ＵＥにＰＤＳＣＨを割り当てることができる。図３によれば、基地局は、ＤＬ  ＣＣ１（斜線のブロックで表される）上にマッピングされたＰＤＣＣＨにより、ＤＬ  ＣＣ１上にマッピングされたＰＤＳＣＨを、ＤＬ
ＣＣ２（交差線のブロックで表される）上にマッピングされたＰＤＣＣＨにより、ＤＬ
ＣＣ２上にマッピングされたＰＤＳＣＨを、および、ＤＬ  ＣＣ３（垂線のブロックで表される）上にマッピングされたＰＤＣＣＨにより、ＤＬ  ＣＣ３上にマッピングされたＰＤＳＣＨを、ＵＥに割り当てる。ここで、基地局は、ＰＤＣＣＨがマッピングされているのと同じ、または異なるコンポーネントキャリア上において、ＰＤＳＣＨを割り当てることができる。
【００４５】
図３において、ＵＥの容量やセルにおけるリソースの状況等に応じて、基地局は、基地局のスケジューリング（割り当て）に基づいて、ＰＤＳＣＨおよび／またはＰＤＣＣＨをマッピングすることが可能なダウンリンクのコンポーネントキャリアのセットであるＤＬ
ＣＣのセットをＵＥに対して設定してもよい。そして、基地局は、基地局のスケジューリング（割り当て）に基づいて、ＰＤＳＣＨおよび／またはＰＤＣＣＨをマッピングすることが可能なアップリンクのコンポーネントキャリアのセットであるＵＬ  ＣＣのセットをＵＥに対して設定してもよい。
【００４６】
ここで、図３において、基地局は、プライマリＤＬ／ＵＬ  ＣＣのペアをＵＥに対して設定することができる。例えば、基地局は、報知情報（例えば、ＳＩＢ：Ｓｙｓｔｅｍ  Ｉｎｆｏｒｍａｔｉｏｎ  Ｂｌｏｃｋ；システム情報ブロック）によって、プライマリＤＬ／ＵＬ  ＣＣのペアを、ＵＥに対してセル固有に設定することができる。また、例えば、基地局は、専用シグナリング（例えば、Ｒａｄｉｏ  Ｒｅｓｏｕｒｃｅ  Ｃｏｎｔｒｏｌ  Ｓｉｇｎａｌｉｎｇ；ＲＲＣシグナリング）によって、プライマリＤＬ／ＵＬ  ＣＣのペアを、ＵＥに対してＵＥ固有（半静的）に設定することができる。ＲＲＣシグナリングは、上位層（ＲＲＣ層）において基地局とＵＥとの間で交換されるシグナリングである。図３に示される例では、基地局は、プライマリＤＬ／ＵＬ  ＣＣのペアとして、ＤＬ  ＣＣ２とＵＬ  ＣＣ２とをＵＥに対して設定する。
【００４７】
また、図３において、基地局は、プライマリＤＬ  ＣＣを、ＵＥに対して設定することができる。例えば、基地局は、報知情報（例えば、ＳＩＢ）によって、プライマリＤＬ  ＣＣを、ＵＥに対してセル固有に設定することができる。また、例えば、基地局は、専用シグナリング（例えば、ＲＲＣシグナリング）によって、プライマリＤＬ  ＣＣを、ＵＥに対してＵＥ固有（半静的）に設定することができる。
【００４８】
さらに、図３において、基地局は、プライマリＵＬ  ＣＣを、ＵＥに対して設定することができる。例えば、基地局は、報知情報（例えば、ＳＩＢ）によって、プライマリＵＬ
ＣＣを、ＵＥに対してセル固有に設定することができる。また、例えば、基地局は、専用シグナリング（例えば、ＲＲＣシグナリング）によって、プライマリＵＬ  ＣＣを、ＵＥに対してＵＥ固有（半静的）に設定することができる。図３に示される例では、基地局は、プライマリＤＬ  ＣＣのペアとして、ＤＬ  ＣＣ２をＵＥに対して設定し、プライマリＵＬ  ＣＣのペアとして、ＵＬ  ＣＣ２をＵＥに対して設定する。
【００４９】
また、図３において、基地局は、ＰＵＳＣＨを介したＵＣＩの伝送のための単一の（１つの）ＵＬ  ＣＣを、ＵＥに対して設定することができる。例えば、基地局は、専用シグナリング（例えば、ＲＲＣシグナリング）によって、ＰＵＳＣＨを介したＵＣＩの伝送のためのＵＬ  ＣＣを、ＵＥに対してＵＥ固有（半静的）に設定することができる。また、例えば、プライマリＵＬ  ＣＣは、ＰＵＳＣＨを介したＵＣＩの伝送のためのＵＬ  ＣＣとして指定することができる。また、基地局は、プライマリＤＬ  ＣＣを、ＵＥに対して設定することができ、ＵＥは、設定されたＤＬ  ＣＣ（ＤＬ  ＣＣのペア）に対応するＵＬ  ＣＣ上のＰＵＳＣＨを介したＵＣＩの伝送を行う。図３に示される例では、基地局は、ＰＵＳＣＨを介したＵＣＩの伝送のためのＵＬ  ＣＣとして、ＵＬ  ＣＣ２を、ＵＥに対して設定する。
【００５０】
ＵＥは、基地局によって設定されたＵＬ  ＣＣ上においてのみ、ＰＵＳＣＨを介してＵＣＩを基地局に送信する。すなわち、ＵＥは、基地局によって半静的に設定されたＵＬ  ＣＣ上にマッピングされたＰＵＳＣＨを介して、ＵＣＩ（すなわち、ＨＡＲＱ−ＡＣＫ／ＮＡＣＫ、および／またはＣＱＩ／ＰＭＩ、および／またはＲＩ）を送信する。図３によれば、ＵＥは、基地局によって設定されたＵＬ  ＣＣ２上のＰＵＳＣＨを介して、ＵＣＩを基地局に送信する。
【００５１】
例えば、ＵＥは、半静的に設定された単一のＵＥ固有のＵＬ  ＣＣ上にマッピングされたＰＵＳＣＨを介して、ＤＬ  ＣＣ（例えば、最大５つのＤＬ  ＣＣ）に対する非周期的なＣＳＩまたは周期的なＣＳＩ（チャンネル品質情報（ＣＱＩ、および／またはＰＭＩ）、および／またはＲＩを含むチャンネル状態情報）の報告を基地局に送信することができる。また、例えば、ＵＥは、半静的に設定された単一のＵＥ固有のＵＬ  ＣＣに上にマッピングされたＰＵＳＣＨを介して、ＤＬ  ＣＣ（例えば、最大５つのＤＬ  ＣＣ）上で同時にスケジューリングされたダウンリンクのトランスポートブロックのＨＡＲＱ−ＡＣＫ／ＮＡＣＫを基地局に送信することができる。
【００５２】
ここで、ＵＥは、半静的に設定された単一のＵＥ固有のＵＬ  ＣＣ上にマッピングされたＰＵＳＣＨを介して、ＵＣＩ（例えば、ＨＡＲＱ−ＡＣＫ／ＮＡＣＫ、および／またはＣＱＩ／ＰＭＩ、および／またはＲＩ）を送信することができる。
【００５３】
ここで、ＰＵＳＣＨを介したＣＳＩの送信は、基地局によってトリガされてよい。例えば、基地局は、ＰＵＳＣＨを介したＣＳＩの送信を要求する情報（例えば、ＣＳＩリクエスト）を含むＤＣＩフォーマット（Ｄｏｗｎｌｉｎｋ  Ｃｏｎｔｒｏｌ  Ｉｎｆｏｒｍａｔｉｏｎ  ｆｏｒｍａｔ；ダウンリンク制御情報フォーマット）を使用することによって、ＰＵＳＣＨを介したＣＳＩの送信をトリガすることができる。例えば、基地局は、ＣＳＩリクエストフィールドに、「１」にセットすることによって、ＰＵＳＣＨを介したＣＳＩの送信をトリガすることができる。以下では、便宜上、「１」にセットされたＣＳＩリクエストの送信を、ＣＱＩリクエストの送信として記載する。
【００５４】
基地局は、１つまたは複数のＤＬ  ＣＣ上のＰＤＣＣＨを介して、ＣＳＩリクエストを含むＤＣＩフォーマットを、ＵＥに送信することができる。すなわち、基地局は、１つまたは複数のＤＬ  ＣＣに対する、ＰＵＳＣＨを介したＣＳＩの送信を、ＵＥに対して要求することができる。すなわち、ＵＥは、１つまたは複数のＤＬのＣＣ上で送信された１つまたは複数のダウンリンク信号に対するＣＳＩを、計算（生成）することができる。１つまたは複数のＤＬ  ＣＣに対するＣＳＩリクエストを受信したＵＥは、ＰＵＳＣＨを介してＣＳＩを基地局に送信する。
【００５５】
図４は、ＰＵＳＣＨを介したＣＳＩの伝送の一例を示す。図４において、ＵＥには、基地局によって半静的に上位層のシグナリング（例えば、ＲＲＣシグナリング）を介して、複数のフィードバックサブフレーム（例えば、サブフレームｎ＋７、サブフレームｎ＋１７）が設定されている。図４において、ＵＥに複数のフィードバックサブフレームが設定されている場合、ＵＥは、複数の設定されたサブフレームにおいてＣＳＩを基地局に送信する。
【００５６】
図４において、基地局は、異なるコンポーネントキャリア上のＰＤＣＣＨを介して、ＣＳＩリクエストを含むＤＣＩフォーマットを、ＵＥに送信する。あるコンポーネントキャリア上のＤＣＩフォーマットのＣＳＩリクエストは、ＵＥに対して、当該コンポーネントキャリアのＣＳＩをフィードバックすることを要求するものでもよい。基地局は、複数のコンポーネントキャリア上で、同時に複数のＤＣＩフォーマットのＣＳＩリクエストを送信するように、スケジューリングすることができる。また、基地局は、複数のサブフレーム上における複数のコンポーネントキャリア上で、複数のＤＣＩフォーマットのＣＳＩリクエストを送信するように、スケジューリングすることができる。
【００５７】
これらのＣＳＩリクエストを受信したＵＥは、最新の設定されたフィードバックサブフレーム上において、要求されたコンポーネントキャリアに対するＣＳＩを基地局に送信する。例えば、図４において、基地局は、サブフレームｎ＋１内のＤＬ  ＣＣ１上のＣＳＩリクエストをＵＥに送信し、また、サブフレームｎ＋３内のＤＬ  ＣＣ３上のＣＳＩリクエストをＵＥに送信する。基地局による設定に基づいて、サブフレームｎ＋７が最新の設定されたフィードバックサブフレームであるので、ＵＥは、サブフレームｎ＋７上のＰＵＳＣＨを介して、ＤＬ  ＣＣ１とＤＬ  ＣＣ３のＣＳＩを基地局に送信する。
【００５８】
図５は、ＰＵＳＣＨを介したＣＳＩの伝送の他の例を示す。図５において、基地局は、設定したＤＬ  ＣＣセットのうちのすべてのＤＬ  ＣＣ（すべてのアクティブなＤＬ  ＣＣ）のＣＳＩの送信をＵＥに対して要求することができる。ここで、基地局は、ＵＥがＣＳＩを計算するためのＤＬ  ＣＣのセットを設定してもよい。すなわち、図５において、基地局は、設定したＤＬ  ＣＣのセットのうちのすべての（複数の）ＤＬ  ＣＣ（ｓ）に対するＣＳＩ（複数のＣＳＩ）をフィードバックすることを要求するＣＳＩリクエストを含んだ、ＤＣＩフォーマットをＵＥに送信することができる。
【００５９】
ＣＳＩリクエストを含むＤＣＩフォーマットを受信したＵＥは、ある１つの次のサブフレーム上のＰＵＳＣＨを介して、すべての（複数の）ＤＬ  ＣＣ（ｓ）のＣＳＩ（複数のＣＳＩ）を基地局に送信する。例えば、図５において、基地局は、サブフレームｎ＋１において、ＤＬ  ＣＣ１上のＰＤＣＣＨを介して、ＣＳＩリクエストを含むＤＣＩフォーマットをＵＥに送信する。そして、ＵＥは、サブフレームｎ＋５（もし、ＣＳＩリクエストを受信した後のＣＳＩの送信のために、４つのサブフレームの遅延が定義されている場合には）内のＰＵＳＣＨを介して、すべての（複数の）ＤＬ  ＣＣ（ｓ）のＣＳＩ（例えば、ＤＬ  ＣＣ１、ＤＬ  ＣＣ２、ＤＬ  ＣＣ３の複数のＣＳＩ）を基地局に送信する。また、図５において、基地局は、サブフレームｎ＋１３内のＤＬ  ＣＣ２上のＰＤＣＣＨを介して、ＣＳＩリクエストを含むＤＣＩフォーマットをＵＥに送信する。そして、ＵＥは、サブフレームｎ＋１７内のＰＵＳＣＨを介して、すべての（複数の）ＤＬ  ＣＣ（ｓ）のＣＳＩ（例えば、ＤＬ  ＣＣ１、ＤＬ  ＣＣ２、ＤＬ  ＣＣ３の複数のＣＳＩ）を基地局に送信する。
【００６０】
図６は、ＰＵＳＣＨを介したＣＳＩの伝送のさらに他の例を示す。図６において、ＰＵＳＣＨを介した周期的なＣＳＩおよび非周期的なＣＳＩの伝送は、単一のサブフレーム上にトリガされてよい。ここで、ＵＥは、ＰＵＳＣＨを介してＣＳＩを周期的に送信するように設定されてよい。また、ＵＥは、ＰＵＣＣＨを介してＣＳＩを非周期的に送信するように設定されてよい。基地局は、上位層のシグナリング（例えば、ＲＲＣシグナリング）を介して、周期的なフィードバックサブフレーム（例えば、サブフレームｎ、サブフレームｎ＋１０、サブフレームｎ＋２０）を、ＵＥに対して、スケジューリングおよび設定する。例えば、基地局は、周期的なＣＳＩの伝送のための周期性（間隔）を、ＵＥに対して設定することができる。また、例えば、基地局は、周期的なＣＳＩの伝送のためのＰＵＣＣＨおよび／またはＰＵＳＣＨのリソースを、ＵＥに対して、持続的に設定することができる。ＵＥは、例えば、これら設定された周期的なフィードバックサブフレーム上において、各コンポーネントキャリアのＣＳＩを循環的に送信する。
【００６１】
また、ＵＥは、ＰＵＳＣＨを介してＣＳＩを非周期的に送信するように設定されてよい。基地局は、異なるコンポーネントキャリア上のＰＤＣＣＨを介して、ＣＳＩリクエストを含むＤＣＩフォーマットを、ＵＥに送信する。あるコンポーネントキャリア上のＤＣＩフォーマットのＣＳＩリクエストは、ＵＥに対して、当該コンポーネントキャリアのＣＳＩをフィードバックすることを要求するものでもよい。ここで、ＰＵＣＣＨを介した周期的なＣＳＩの伝送と非周期的なＣＳＩの伝送とが衝突した場合、両ＣＳＩは、単一のサブフレーム上のＰＵＳＣＨを介して送信される。すなわち、周期的なＣＳＩの伝送と非周期的なＣＳＩの伝送とが同じサブフレームで生じた場合、ＵＥは、ＰＵＳＣＨを介して周期的なＣＳＩと非周期的なＣＳＩとを基地局に送信する。
【００６２】
例えば、図６において、基地局は、ＵＥに対して、上記設定された周期的なフィードバックサブフレームとして、サブフレームｎ、サブフレームｎ＋１０、サブフレームｎ＋２０を設定する。サブフレームｎとサブフレームｎ＋１０上では、非周期的なＣＳＩの伝送が同時に起こることがないため、ＵＥは周期的なＣＳＩを基地局に送信する。サブフレームｎ＋３上では、基地局は、非周期的なＣＳＩのフィードバックをトリガするためのＣＳＩリクエストをＵＥに送信する。ＵＥは、サブフレームｎ＋７上の応答として、非周期的なＣＳＩのみを基地局に送信する。同様に、基地局は、サブフレームｎ＋１６上で非周期的なＣＳＩのフィードバックをトリガするためのＣＳＩのリクエストをＵＥに送信する。ここで、ＵＥは、サブフレームｎ＋２０上の応答として、非周期的なＣＳＩを基地局に送信するはずであったが、サブフレームｎ＋２０は、設定された周期的なフィードバックサブフレームであるので、サブフレームｎ＋２０上では、周期的なＣＳＩと非周期的なＣＳＩとはともに、同時に基地局へ送信される。
【００６３】
図７は、チャンネル品質情報（ＣＱＩおよび／またはＰＭＩ）のチャンネル符号化の手順の一例を示す。なお、下記のチャンネル符号化の手順は、上述したＣＳＩ送信の手順に適用される。上述のように、ＵＥは、複数のＤＬ  ＣＣに対応する複数のチャンネル品質情報を基地局に送信することができる。図７において、複数のＤＬ  ＣＣのチャンネル品質情報は、別々にチャンネル符号化され、その後、複数の層上でマッピングを行うために分割されてよい。
【００６４】
１つのＰＵＳＣＨを介して、同時に複数のＤＬ  ＣＣのチャンネル品質情報を送信するようにＵＥがトリガされた後の、チャンネル符号化および多重化の手順は、図７を参照して、次のように説明することができる。例えば、ＵＥは、設定されたＤＬ  ＣＣのセットのうちの３つのコンポーネントキャリア（すなわち、ＤＬ  ＣＣ  １、ＤＬ、ＣＣ２、ＤＬ  ＣＣ３）のチャンネル品質情報を１つのＰＵＳＣＨを介して、同時に送信するように要求される。
【００６５】
まず、３つのＤＬ  ＣＣのチャンネル品質情報のチャンネル符号化が別々に行われる。ここで、例えば、各ダウンリンクのコンポーネントキャリアのチャンネル品質情報ビットおよびフォーマットは、ＬＴＥのリリース８にて定義されているものを援用することができる。また、ＬＴＥのリリース８にて定義されているものと同じチャンネル符号化方式を援用することができる。例えば、チャンネル品質情報のペイロードのサイズ（ｋ）が１１ビット以下である場合、ＣＲＣの付加やレートマッチングを実行することなく、チャンネル符号化は、ブロック符号化（３２，ｋ）として行われる。一方、チャンネル品質情報のペイロードサイズが１１ビットより大きい場合は、テイルバイティング畳み込み符号化が行われ、それに応じてＣＲＣの付加およびレートマッチングが実行される。
【００６６】
その後、ＵＥは、チャンネル品質情報に対する符号化シンボルの数を決定する。例えば、チャンネル品質情報が１つのコードワードにしかマッピングされていない場合、ＵＥは、式（１）のように、各層（各レイヤ）におけるチャンネル品質情報に対する符号化シンボルの数を決定する。すなわち、ＵＥは、式（１）に基づき、別々にチャンネル符号化されるチャンネル品質情報に対する符号化シンボルの数Ｑ’を決定する。
【００６７】
【数１】
0006019091.tif 000002
【００６８】
ここで、関数“ｍｉｎ（Ａ，Ｂ）”の出力は、ＡおよびＢのうち小さいほうであって、例えば、Ａ＜Ｂの場合、ｍｉｎ（Ａ，Ｂ）＝Ａであり、
Ｏｃは、ＤＬ  ＣＣの数ｃに対するチャンネル品質情報ビットの数（ＣＱＩビットおよび／またはＰＭＩビットを含む）であり、Ｌｃは、下記の式
【００６９】
【数２】
0006019091.tif 000003
【００７０】
によって与えられるＣＲＣビットの数であり、
Ｃは、チャンネル品質情報のフィードバックに対してスケジューリングされたＤＬ  ＣＣの総数であり、
【００７１】
【数３】
0006019091.tif 000004
【００７２】
は、最初のＰＤＣＣＨから得られる、同じトランスポートブロックに対して最初にスケジューリングされた帯域幅であり、
Ｒは、このトランスポートブロックのコードブロック数であり、
Ｋｒは、コードブロック数ｒのビット数であり、
【００７３】
【数４】
0006019091.tif 000005
【００７４】
は、上位層によって設定されたオフセット（例えば、ＭＣＳのオフセット）であり、
【００７５】
【数５】
0006019091.tif 000006
【００７６】
は、同じトランスポートブロックに対する、最初のＰＵＳＣＨの伝送用のサブフレーム当たりのＳＣ−ＦＤＭＡのシンボルの数（例えば、１２個のＳＣ−ＦＤＭＡシンボル）であり、
【００７７】
【数６】
0006019091.tif 000007
【００７８】
は、現在のＰＤＣＣＨから得られる、サブキャリア単位にて現在のＰＵＳＣＨに対してスケジューリングされた帯域幅であり、
【００７９】
【数７】
0006019091.tif 000008
【００８０】
は、現在のＰＵＳＣＨの伝送サブフレーム内におけるＳＣ−ＦＤＭＡシンボルの数（例えば、１２個のＳＣ−ＦＤＭＡシンボル）であり、
【００８１】
【数８】
0006019091.tif 000009
【００８２】
は、ＲＩの符号化シンボルの数である。
【００８３】
式（１）から、ＣＲＣビットの数が、各ＣＣに対して計算される。ここで、Ｌｃは、ＣＣのチャンネル品質情報ビットに付加されたＣＲＣビットの数である。
【００８４】
ここで、チャンネル品質情報に含まれているＰＭＩが、２つの構成マトリクス（マトリクスインデックス）Ｗ＿１およびＷ＿２によって示されている場合、ＰＭＩビットの数は、Ｗ＿１のみの数として、またはＷ＿２のみの数として、またはＷ＿１とＷ＿２との数として見なすことができる。
【００８５】
すなわち、ＵＥは、基地局が全体的なプリコーダを決定できるように、ＰＵＳＣＨを介して、基地局にＷ＿１、および／またはＷ＿２を送信することができる。例えば、Ｗ＿１は、広帯域および／または長期間のチャンネル特性（例えば、ワイドバンドＰＭＩ）を管理し、Ｗ＿２は、有効なチャンネル（例えば、ＣＳＩのフィードバックモードに応じた、サブバンドＰＭＩまたはワイドバンドＰＭＩ）の瞬時特性のマッチングを試みる。例えば、ＵＥは、ＰＵＳＣＨが基地局によって割り当てられている場合、長期的な間隔で、ＰＵＳＣＨを介して、Ｗ＿  １を基地局に送信することができる。そして、例えば、ＵＥは、ＰＵＳＣＨが基地局によって割り当てられている場合、短期的な間隔で、ＰＵＳＣＨを介して、Ｗ＿２を基地局に送信することができる。そして、例えば、ＵＥは、ＰＵＳＣＨが基地局によって割り当てられている場合、同時にＰＵＳＣＨを介して、Ｗ＿１とＷ＿２を基地局に送信することができる。基地局は、２種類のマトリクス（マトリクスインデックス）Ｗ＿１とＷ＿２を用いて、全体的なプリコーダを決定することができる。
【００８６】
すなわち、ＵＥが、チャンネル品質情報に対する符号化シンボルの数を決定する際、Ｗ＿１ビットの数のみ、チャンネル品質情報ビットの数に含めることができる。また、ＵＥが、チャンネル品質情報に対する符号化シンボルの数を決定する際、Ｗ＿２ビットの数のみ、チャンネル品質情報ビットの数に含めることができる。また、ＵＥが、チャンネル品質情報に対する符号化シンボルの数を決定する際、Ｗ＿１ビットとＷ＿２ビットとの両方の数を、チャンネル品質情報ビットの数に含めることができる。
【００８７】
また、ＤＬ  ＣＣの数は、基地局によって設定されたＤＬ  ＣＣの数と見なされる。また、ＤＬのＣＣの数は、基地局によって設定されたＤＬ  ＣＣのうちのアクティブなＤＬ
ＣＣの数と見なしてもよい。基地局は、ＵＥに対して、ＲＲＣシグナリングによって設定したＤＬ  ＣＣの中から、ＤＬ  ＣＣをアクティブにすることができる。例えば、基地局は、ＵＥに対して、ＭＡＣ（Ｍｅｄｉａ  Ａｃｃｅｓｓ  Ｃｏｎｔｒｏｌ；メディアアクセス制御）シグナリングを用いて、ＤＬ  ＣＣをアクティブにすることができる。さらに、ＤＬ  ＣＣの数は、ＵＥによってサポートされているＤＬ  ＣＣの最大数と見なしてもよい。ここで、ＤＬ  ＣＣの最大数は、ＵＥの容量によって決まる。
【００８８】
チャンネル符号化の後、異なるＤＬ  ＣＣのチャンネル品質情報は、直列に連結される。その後、実際のシステムに基づいて、連結されたチャンネル品質情報は、いくつかのセグメントに分割され、アップリンクの送信データを多重化しながら、それぞれのセグメントが１つの層上にマッピングされる。例えば、チャンネル品質情報が１つのコードワードの２つの層上で送信されることが定義されている。このように、連結されたチャンネル品質情報は二分割され、それぞれが指定されたコードワードの各層へマッピングされる。
【００８９】
図８は、チャンネル品質情報のチャンネル符号化手順の他の例を示す。なお、下記のチャンネル符号化手順は、上述したＣＳＩ送信手順に適用される。上述のように、ＵＥは、複数のＤＬ  ＣＣに対応する複数のチャンネル品質情報を基地局に送信することができる。図８において、複数のダウンリンクのコンポーネントキャリアのチャンネル品質情報は、ともにチャンネル符号化され、その後、複数の層上にマッピングを行うために分割されてよい。
【００９０】
１つのＰＵＳＣＨを介して、同時に複数のＤＬ  ＣＣのチャンネル品質情報を送信するためにＵＥがトリガされた後の、チャンネル符号化および多重化の手順は、図８を参照して、次のように説明することができる。例えば、ＵＥは、設定されたＤＬ  ＣＣのセットのうち、３つのコンポーネント・キャリア（すなわち、ＤＬ  ＣＣ  １、ＤＬ、ＣＣ２、ＤＬ  ＣＣ３）のチャンネル品質情報を、同時に１つのＰＵＳＣＨを介して送信するように要求される。
【００９１】
まず、３つのＤＬ  ＣＣに対するチャンネル品質情報は、ともに連結される。次に、連結されたチャンネル品質情報のチャンネル符号化がともに行われる。ここで、例えば、ＬＴＥのリリース８のチャンネル符号化方式を援用することができる。チャンネル品質情報のペイロードのサイズ（ｋ）が１１ビット以下である場合、ＣＲＣの付加やレートマッチングを実行することなく、チャンネル符号化は、ブロック符号化（３２，ｋ）として行われる。一方、チャンネル品質情報のペイロードのサイズが１１ビットより大きい場合は、テイルバイティング畳み込み符号化が行われ、それに応じてＣＲＣの付加およびレートマッチングが実行される。
【００９２】
その後、ＵＥは、チャンネル品質情報に対する符号化シンボルの数を決定する。例えば、チャンネル品質情報が１つのコードワードにしかマッピングされていない場合、ＵＥは、式（２）のように各層（各レイヤ）におけるチャンネル品質情報に対する符号化シンボルの数を決定する。すなわち、ＵＥは、式（２）に基づき、ともにチャンネル符号化されるチャンネル品質情報に対する符号化シンボルの数を決定する。
【００９３】
【数９】
0006019091.tif 000010
【００９４】
ここで、関数“ｍｉｎ（Ａ，Ｂ）”の出力は、ＡおよびＢのうち小さいほうであって、例えば、Ａ＜Ｂの場合、ｍｉｎ（Ａ，Ｂ）＝Ａであり、
Ｏｃは、ＤＬ  ＣＣの数ｃに対するチャンネル品質情報ビットの数（ＣＱＩビットおよび／またはＰＭＩビットを含む）であり、
Ｌは、下記の式
【００９５】
【数１０】
0006019091.tif 000011
【００９６】
によって与えられるＣＲＣビットの数であり、Ｃは、チャンネル品質情報のフィードバック対してスケジューリングされたＤＬ  ＣＣの総数であり、
【００９７】
【数１１】
0006019091.tif 000012
【００９８】
は、最初のＰＤＣＣＨから得られる、同じトランスポートブロックに対して最初にスケジューリングされた帯域幅であり、
Ｒは、このトランスポートブロックのコードブロック数であり、
Ｋｒは、コードブロック数ｒのビット数であり、
【００９９】
【数１２】
0006019091.tif 000013
【０１００】
は、上位層によって設定されたオフセット（例えば、ＭＣＳのオフセット）であり、
【０１０１】
【数１３】
0006019091.tif 000014
【０１０２】
は、同じトランスポートブロックに対する、最初のＰＵＳＣＨ伝送用サブフレーム当たりのＳＣ−ＦＤＭＡシンボルの数（例えば、１２個のＳＣ−ＦＤＭＡシンボル）であり、
【０１０３】
【数１４】
0006019091.tif 000015
【０１０４】
は、現在のＰＤＣＣＨから得られる、サブキャリア単位にて現在のＰＵＳＣＨに対してスケジューリングされた帯域幅であり、
【０１０５】
【数１５】
0006019091.tif 000016
【０１０６】
は、現在のＰＵＳＣＨ伝送サブフレーム内におけるＳＣ−ＦＤＭＡシンボルの数（例えば、１２個のＳＣ−ＦＤＭＡシンボル）であり、
【０１０７】
【数１６】
0006019091.tif 000017
【０１０８】
は、ＲＩの符号化シンボル数である。
【０１０９】
式（２）から、ＣＲＣビットの数は、複数のＣＣの連結されたチャンネル品質情報ビットに対して計算される。ここで、得られるＬの値は１つである。
【０１１０】
式（１）と同様に、チャンネル品質情報に含まれているＰＭＩが、２つの構成マトリクス（マトリクスインデックス）Ｗ＿１およびＷ＿２によって示されている場合、ＰＭＩビットの数は、Ｗ＿１のみの数として、またはＷ＿２のみの数として、またはＷ＿１とＷ＿２との数として見なすことができる。
【０１１１】
すなわち、ＵＥが、チャンネル品質情報に対する符号化シンボルの数を決定する際、Ｗ＿１ビットの数のみ、チャンネル品質情報ビットの数に含めることができる。また、ＵＥが、チャンネル品質情報に対する符号化シンボルの数を決定する際、Ｗ＿２ビットの数のみ、チャンネル品質情報ビットの数に含めることができる。また、ＵＥが、チャンネル品質情報に対する符号化シンボルの数を決定する際、Ｗ＿１ビットとＷ＿２ビットとの両方の数を、チャンネル品質情報ビットの数に含めることができる。
【０１１２】
換言すれば、ＵＥは、各ダウンリンクのコンポーネントキャリアに対するチャンネル状態情報ビットを連結し、連結した各ダウンリンクのコンポーネントキャリアのチャンネル状態情報ビットに、１つのサイクリックリダンダンシーチェック（ＣＲＣ）ビットを付加することによって得られるビット数を用いて、複数のダウンリンクのコンポーネントキャリアに対するチャンネル状態情報の符号化シンボルの数を決定する。
【０１１３】
チャンネル符号化の後、異なるＤＬ  ＣＣのチャンネル品質情報は、直列に連結される。その後、実際のシステムに基づいて、連結されたチャンネル品質情報は、複数のセグメントに分割され、アップリンクの送信データを多重化しながら、それぞれのセグメントが１つの層上にマッピングされる。例えば、チャンネル品質情報が１つのコードワードの２つの層上で送信されることが定義されている。このように、連結されたチャンネル品質情報は二分割され、それぞれが指定されたコードワードの各層へマッピングされる。
【０１１４】
図９は、チャンネル品質情報のチャンネル符号化の手順の他の例を示す。上述のように、ＵＥは、複数のＤＬ  ＣＣに対応する複数のチャンネル品質情報を基地局に送信することができる。図９において、複数のＤＬ  ＣＣのチャンネル品質情報は、層をマッピングするために分割され、層固有にチャンネル符号化される。
【０１１５】
１つのＰＵＳＣＨを介して、同時に複数のＤＬ  ＣＣのチャンネル品質情報を送信するようにＵＥがトリガされた後の、チャンネル符号化および多重化の手順は、図９を参照して、次のように説明することができる。例えば、ＵＥは、設定されたＤＬ  ＣＣのセットのうち、３つのコンポーネントキャリア（すなわち、ＤＬ  ＣＣ  １、ＤＬ、ＣＣ２、ＤＬ  ＣＣ３）のチャンネル品質情報を１つのＰＵＳＣＨを介して、同時に送信するように要求される。
【０１１６】
まず、３つのＤＬ  ＣＣのチャンネル品質情報は、ともに連結される。マッピング層の数（（現在の）トランスポートブロックによってマッピングされた層の数）に基づいて、連結されたチャンネル品質情報がいくつかのセグメントに分割される。なお、トランスポートブロックによってマッピングされた層の数は、送信モードやチャンネル状況等に応じて変化する。
【０１１７】
例えば、チャンネル品質情報が１つのコードワードの２つの層上で送信されることが定義されている。このように、連結されたチャンネル品質情報は二分割され、それぞれが別々にチャンネル符号化される。ここで、例えば、ＬＴＥのリリース８のチャンネル符号化方式を援用することができる。チャンネル品質情報のペイロードのサイズ（ｋ）が１１ビット以下である場合、ＣＲＣの付加やレートマッチングを実行することなく、チャンネル符号化は、ブロック符号化（３２，ｋ）として行われる。一方、チャンネル品質情報のペイロードのサイズが１１ビットより大きい場合は、テイルバイティング畳み込み符号化が行われ、それに応じてＣＲＣの付加とレートマッチングが実行される。
【０１１８】
すなわち、ＵＥは、チャンネル品質情報に対する符号化シンボルの数を決定する。例えば、チャンネル品質情報が１つのコードワードにしかマッピングされていない場合、ＵＥは、式（３）のように各層（各レイヤ）におけるチャンネル品質情報に対する符号化シンボルの数を決定する。すなわち、ＵＥは、式（３）に基づき、層に基づいてチャンネル符号化されるチャンネル品質情報に対する符号化シンボルの数を決定する。
【０１１９】
【数１７】
0006019091.tif 000018
【０１２０】
ここで、関数“ｍｉｎ（Ａ，Ｂ）”の出力は、ＡおよびＢのうち小さいほうであって、例えば、Ａ＜Ｂの場合、ｍｉｎ（Ａ，Ｂ）＝Ａであり、
Ｏｃは、ＤＬ  ＣＣの数ｃに対するチャンネル品質情報ビットの数（ＣＱＩビットおよび／またはＰＭＩビットを含む）であり、
Ｌは、下記式
【０１２１】
【数１８】
0006019091.tif 000019
【０１２２】
によって与えられるＣＲＣビットの数であり、
Ｎは、トランスポートブロックによってマッピングされた層の数であり、
Ｃは、チャンネル品質情報のフィードバックに対してスケジューリングされたＤＬ  ＣＣの総数であり、
【０１２３】
【数１９】
0006019091.tif 000020
【０１２４】
は、最初のＰＤＣＣＨから得られる、同じトランスポートブロックに対して最初にスケジューリングされた帯域幅であり、
Ｒは、このトランスポートブロックのコードブロック数であり、
Ｋｒは、コードブロック数ｒのビット数であり、
【０１２５】
【数２０】
0006019091.tif 000021
【０１２６】
は、上位層によって設定されたオフセット（例えば、ＭＣＳのオフセット）であり、
【０１２７】
【数２１】
0006019091.tif 000022
【０１２８】
は、同じトランスポートブロックに対する、最初のＰＵＳＣＨの伝送用サブフレーム当たりのＳＣ−ＦＤＭＡシンボルの数（例えば、１２個のＳＣ−ＦＤＭＡシンボル）であり、
【０１２９】
【数２２】
0006019091.tif 000023
【０１３０】
は、現在のＰＤＣＣＨから得られる、サブキャリア単位にて現在のＰＵＳＣＨに対してスケジューリングされた帯域幅であり、
【０１３１】
【数２３】
0006019091.tif 000024
【０１３２】
は、現在のＰＵＳＣＨ伝送サブフレーム内におけるＳＣ−ＦＤＭＡシンボルの数（例えば、１２個のＳＣ−ＦＤＭＡシンボル）であり、
【０１３３】
【数２４】
0006019091.tif 000025
【０１３４】
は、ＲＩの符号化シンボル数である。
【０１３５】
式（３）から、ＣＲＣビットの数が、層の数に応じて計算される。ここで、Ｎは、層の数であり、Ｌは、各層上で分離されたチャンネル品質情報ビットに付加されたＣＲＣビットの数である。
【０１３６】
式（１）および（２）と同様に、チャンネル品質情報に含まれているＰＭＩが、２つの構成マトリクス（マトリクスインデックス）Ｗ＿１およびＷ＿２によって示されている場合、ＰＭＩビットの数は、Ｗ＿１のみの数として、またはＷ＿２のみの数として、またはＷ＿１とＷ＿２との数として見なすことができる。
【０１３７】
すなわち、ＵＥが、チャンネル品質情報に対する符号化シンボルの数を決定する際、Ｗ＿１ビットの数のみ、チャンネル品質情報ビットの数に含めることができる。また、ＵＥが、チャンネル品質情報に対する符号化シンボルの数を決定する際、Ｗ＿２ビットの数のみ、チャンネル品質情報ビットの数に含めることができる。また、ＵＥが、チャンネル品質情報に対する符号化シンボルの数を決定する際、Ｗ＿１ビットとＷ＿２ビットとの両方の数を、チャンネル品質情報ビットの数に含めることができる。
【０１３８】
式（３）によれば、チャンネル品質情報に対する符号化シンボルの数は、層の数に応じて変化する。ＵＥは、チャンネル品質情報に対する符号化シンボルの数を、層の数に応じて決定することができる。
【０１３９】
チャンネル符号化の後、チャンネル品質情報の各符号化されたセグメントは、アップリンクの送信データを多重化しながら、該当する層の上にマッピングされる。
【０１４０】
図１０は、ＨＡＲＱ−ＡＣＫ／ＮＡＣＫおよびＲＩのチャンネル符号化の手順の一例を示す。ＵＥは、その実際のペイロードに応じて、複数のＤＬ  ＣＣに対するＨＡＲＱ−ＡＣＫ／ＮＡＣＫおよびＲＩのチャンネル符号化の方法を変化させる。ＵＥが、１つのＰＵＳＣＨを介して、複数のＤＬ  ＣＣに対するＨＡＲＱ−ＡＣＫ／ＮＡＣＫ、および／またはＲＩを送信するように設定されている場合のチャンネル符号化およびインターリーブの手順は、図１０を参照して、次のように説明することができる。
【０１４１】
ここで、ＵＥは、同じサブフレーム内において、複数のコンポーネント・キャリア上でスケジューリングされた複数のトランスポートブロック（すなわち、複数のＰＤＳＣＨ）に対する（複数の）ＨＡＲＱ−ＡＣＫ／ＮＡＣＫの情報を、基地局に送信することができる。例えば、ＵＥは、同じサブフレーム内において、２つのコンポーネントキャリア上でスケジューリングされた２つのトランスポートブロック（すなわち、２つのＰＤＳＣＨ）に対する（複数の）ＨＡＲＱ−ＡＣＫ／ＮＡＣＫの情報を、基地局に送信することができる。すなわち、基地局が、ＵＥにＰＵＳＣＨを割り当てると、ＵＥは、ＰＵＳＣＨを介して、複数のトランスポートブロックに対する（複数の）ＨＡＲＱ−ＡＣＫ／ＮＡＣＫの情報を、基地局に送信することができる。
【０１４２】
まず、同じサブフレームにおいて、２つのスケジューリングされたダウンリンクのコンポーネントキャリア上のトランスポートブロックのＨＡＲＱ−ＡＣＫ／ＮＡＣＫビットがともに連結される。次に、連結されたＨＡＲＱ−ＡＣＫ／ＮＡＣＫビットは、チャンネル符号化を行う。ＨＡＲＱ−ＡＣＫ／ＮＡＣＫビットの数は、ＵＥの容量と基地局のスケジューリングに応じて、１〜１０ビットで変動する。ここでは、最大５つのコンポーネントキャリアのアグリゲーション、および１つのコンポーネントキャリアにつき最大２つのコードワードを想定する。チャンネル符号化に対して、連結されたＨＡＲＱ−ＡＣＫ／ＮＡＣＫビットの数が１または２である場合、ＬＴＥのリリース８にて定義された１ビットのＨＡＲＱ−ＡＣＫ／ＮＡＣＫおよび２ビットのＨＡＲＱ−ＡＣＫ／ＮＡＣＫの符号化が援用され、それ以外の場合、すなわち、３〜８ビットのＨＡＲＱ−ＡＣＫ／ＮＡＣＫを符号化する場合は、新たなチャンネル符号化の方法が導入される。例えば、３〜８ビットのＨＡＲＱ−ＡＣＫ／ＮＡＣＫを符号化する場合は、ＰＵＣＣＨ上におけるＵＣＩチャンネル品質情報のチャンネル符号化について、ＬＴＥのリリース８にて定義された（２０，ｋ）ブロック符号化が導入される。チャンネル符号化の後、実際のシステムに基づいて、符号化されたＡＣＫ／ＨＡＲＱ−ＡＣＫ情報を（層の反復によって）複製し、アップリンクのデータをインターリーブしながら、複数の層上にマッピングすることができる。例えば、ＨＡＲＱ−ＡＣＫ／ＮＡＣＫが２つのコードワードの４つの層上において複製されることが定義されている。従って、符号化されたＨＡＲＱ−ＡＣＫ／ＮＡＣＫビットが４回複製される。各複製データは２つのコードワードの各層へマッピングされる。各層上におけるマッピング規則は、図２に示すように、ＬＴＥのリリース８にて定義されているものに従う。なお、層繰り返しのみが、ＨＡＲＱ−ＡＣＫ／ＮＡＣＫおよびＲＩの伝送に使用される。
【０１４３】
ＡＣＫ／ＮＡＣＫおよびＲＩのチャンネル符号化の手順では、シンボルの数も決定する必要がある。この場合、ＡＣＫ／ＮＡＣＫおよびＲＩに使用される方法および式は、本質的に、ＬＴＥのリリース８．０にて定義されているものと同じである。
【０１４４】
本発明によれば、基地局は、キャリアアグリゲーションの場合、ＰＵＳＣＨ上において適応性のあるＵＣＩの多重化方式を行うことができる。これにより、基地局は、システムにさらなる複雑さを生じさせることなく、より効率的な伝送制御（スケジューリング）を行うことができる。
【０１４５】
（移動通信システム）
以下の説明では、本発明に係る移動通信システムについて説明する。移動通信システムは、基地局およびユーザ機器を備えており、基地局とユーザ機器とは、上記のいずれかの実施形態またはその変形例におけるＰＵＳＣＨ上におけるＵＣＩの多重化の方法に基づいて、互いに通信することができる。
【０１４６】
図１１は、本発明に係る基地局の概略構成例を示す機能ブロック図である。
【０１４７】
図１１に示すように、基地局１００は、データ制御部１、変調符号化部２、マッピング部３、逆高速フーリエ変換（ＩＦＦＴ）部４、無線送信部５、無線受信部６、高速フーリエ変換（ＦＦＴ）部７、復調復号化部８、データ抽出部９、送信情報制御部１０、およびアンテナ１１を備えている。送信情報制御部１０は、スケジューラ部２１、変調・符号化制御部２２、および周波数選択スケジューラ部２３を備えている。
【０１４８】
基地局１００では、ユーザ機器に送信される送信データおよび制御データは、データ制御部１に入力され、これらのデータは、送信情報制御部１０からの指示に基づいて、ユーザ機器に順次送信される。変調符号化部２は、伝送情報制御部１０（変調・符号化制御部２２）によって決定された変調方式および符号化率に基づいて、データ制御部１から出力された信号を受信し、変調処理またはエラー訂正符号化処理を行い、データをマッピング部３に出力する。マッピング部３は、送信情報制御部１０（周波数選択スケジューラ部２３）から出力された周波数選択スケジューリング情報に基づいて、変調符号化部２から出力されたデータを各サブキャリア上へマッピングし、データを逆高速フーリエ変換部４に出力する。
【０１４９】
逆高速フーリエ変換部４は、マッピング部３から出力されたデータに対して逆高速フーリエ変換の処理を行い、データを時系列ベースバンドのデジタル信号に変換し、この信号を無線送信部５に出力する。無線送信部５は、逆高速フーリエ変換部４からの出力信号をアナログ／デジタル変換し、送信に適した周波数に信号をアップコンバートしてから、アンテナ１１を介して信号を各ユーザ機器に送信する。
【０１５０】
スケジューラ部２１は、各ユーザ機器の使用するリソース領域、間欠送信受信の周期、伝送データチャンネルの形式、およびバッファのステータス等の制御情報に基づいて、ダウンリンクおよびアップリンクをスケジューリングする。変調・符号化制御部２２は、ユーザ機器からの物理アップリンク制御チャンネル上のチャンネル品質情報のフィードバックに基づいて、各データに適用される変調方式および符号化率を決定する。周波数選択スケジューラ部２３は、ユーザ機器からのチャンネル品質情報のフィードバックに基づいて、各データに適用される周波数選択スケジューリングを実行する。データ抽出部９は、復調および復号されたデータをユーザ用の受信データと制御データとに分離し、これらのデータを上位処理部に転送し、送信情報制御部２７に出力する。
【０１５１】
図１１に示されるように、基地局の各構成要素は、結合されてもよく、また別々のユニットとして実現してもよい。
【０１５２】
図１２は、本発明に係るユーザ機器の概略構成例を示す機能ブロック図である。
【０１５３】
図１２に示されるように、ユーザ機器２００は、データ制御部４１、変調符号化部４２、マッピング部４３、逆高速フーリエ変換（ＩＦＦＴ）部４４、無線送信部４５、アンテナ４６、ＰＵＳＣＨ制御部４７、無線受信部４８、高速フーリエ変換（ＦＦＴ）部４９、復調復号部５０、およびデータ抽出部５１を備えている。ＰＵＳＣＨ制御部４７は、制御・データ多重化部６２、ＰＵＳＣＨマッピング部６１、およびチャンネル制御部６３を備えている。
【０１５４】
無線受信部４８、ＦＦＴ部４９、復調復号部５０、データ抽出部５１、およびＰＵＳＣＨ制御部４７は、全体として、受信部８０を構成し、データ制御部４１、変調符号化部４２、マッピング部４３、逆高速フーリエ変換（ＩＦＦＴ）部４４、および無線送信部４５は、全体として、送信部９０を構成している。
【０１５５】
図１２に示すユーザ機器２００では、基地局１００に送信される送信データおよび制御データは、データ制御部４１に入力され、これらのデータは、基地局１００に順次送信される。変調符号化部４２は、データ制御部４１から出力された信号を受信し、変調処理またはエラー訂正符号化処理を行い、データをマッピング部４３に出力する。マッピング部４３は、変調符号化部４２から出力されたデータを各サブキャリア上へマッピングし、データを逆高速フーリエ変換部４４に出力する。
【０１５６】
逆高速フーリエ変換部４４は、マッピング部４３から出力されたシンボル列に対して逆高速フーリエ変換の処理を行い、シンボル列を時系列ベースバンドデジタル信号に変換し、この信号を無線送信部４５に出力する。無線送信部４５は、逆高速フーリエ変換部４からの出力信号をアナログ／デジタル変換し、送信に適した周波数に信号をアップコンバートしてから、アンテナ４６を介して信号を基地局１００に送信する。
【０１５７】
制御・データ多重化部６２は、アップリンク制御情報を多重化し、インタリーバにデータを送信する。ＰＵＳＣＨマッピング部６１は、多重化された制御およびデータの情報を複数のコードワードの複数の層にマッピングする。
【０１５８】
チャンネル符号化部６３は、シンボル数決定部６４を備えており、このシンボル数決定部６４は、ＵＥが、チャンネル品質情報に対する符号化シンボルの数を決定するために使用される。特に、シンボル数決定部６４は、上記の式（１）、（２）、および（３）に基づいて、チャンネル品質情報に対する符号化シンボルの数を決定する。
【０１５９】
図１１の基地局および図１２のユーザ機器の他の代替例では、デバイス（ＢＳまたはＵＥ）は、プロセッサおよびメモリを備えるように実現してもよい。
【０１６０】
メモリは、読み取り専用メモリ（ＲＯＭ）、ランダムアクセスメモリ（ＲＡＭ）の両方を含んでもよく、プロセッサに命令とデータを提供する。メモリの一部は、不揮発性ランダムアクセスメモリ（ＮＶＲＡＭ）を含んでもよい。メモリは、電子情報を格納可能な任意の電子部品を含んでもよく、ＲＯＭ、ＲＡＭ、磁気ディスク記憶媒体、光記憶媒体フラッシュメモリ、プロセッサを伴ったオンボードメモリ、ＥＰＲＯＭメモリ、ＥＥＰＲＯＭ（登録商標）メモリ、レジスタ、ハードディスク、リムーバブルディスク、ＣＤ−ＲＯＭ等として具現化してもよい。メモリは、プログラム命令および他の種類のデータを格納してもよい。プログラム命令は、ＰＵＣＣＨリソース割り当てを実現する目的で本明細書に開示された方法の一部またはすべてが実行されるように、プロセッサによって実行してもよい。
【０１６１】
情報および信号は、さまざまな技術や手法を用いて表してもよい。例えば、上記の説明の全体にわたって言及されるデータ、命令、コマンド、情報、信号等は、電圧、電流、電磁波、磁界または粒子、光学フィールドまたは粒子、またはそれらの任意の組み合わせによって表してもよい。
【０１６２】
本明細書に開示された実施形態に関連して説明されたさまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）信号、または他のプログラム可能な論理素子、離散的なゲートまたはトランジスタロジック、離散的なハードウェアコンポーネント、または本明細書に記載された機能を実行するように設計された任意の組み合わせで実施または実行してもよい。汎用プロセッサは、マイクロプロセッサであってもよいが、あるいは、プロセッサは、任意の従来のプロセッサ、コントローラ、マイクロコントローラ、またはステートマシンであってもよい。プロセッサは、例えば、ＤＳＰとマイクロプロセッサの組み合わせ、複数のマイクロプロセッサ、ＤＳＰのコアと連結した１つまたは複数のマイクロプロセッサ、または他のそうした構成のコンピュータデバイスの組み合わせとして実施してもよい。別の実施形態では、集積回路は、実行時に基地局、および／またはユーザ機器において方法を実現するプログラムを格納するように構成されてもよく、集積回路は、それぞれ、基地局とユーザ機器に実装されてもよい。
【０１６３】
本明細書に開示された実施形態に関連して説明された方法やアルゴリズムの工程は、ハードウェアによって直接的に具現化してもよく、プロセッサによって実行されたソフトウェアモジュールで具現化してもよく、またはこれら２つの組み合わせによって具現化してもよい。ソフトウェアモジュールは、当技術分野で知られている記憶媒体のいずれの形をとってもよい。記憶媒体としては、例えば、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ等が挙げられる。ソフトウェアモジュールは、単一の命令または多数の命令を含んでもよく、異なるプログラム間および複数の記憶媒体にわたって、いくつかの異なるコードセグメントのもとで配布することができる。例えば、記憶媒体は、プロセッサが当該記録媒体から情報を読み取り、当該記憶媒体に情報を書き込むことができるように当該プロセッサに接続されてよい。あるいは、記憶媒体は、プロセッサと一体化になっていてもよい。
【０１６４】
本明細書に開示された方法は、記載された方法を実現するための１つまたは複数の工程または動作を含む。これら方法の工程および／または動作は、特許請求の範囲から逸脱することなく、互いに置き換えることができる。換言すれば、特定の順序の工程または動作が、説明されている実施形態の適切な操作に必要な場合を除き、具体的な工程または動作の順序および／または使用は、特許請求の範囲から逸脱することなく変更してもよい。
【０１６５】
本発明は、物理アップリンク共有チャンネル上におけるアップリンク制御情報の伝送のための通信方法であって、基地局が、物理アップリンク共有チャンネルを介したアップリンク制御情報の伝送のためのトリガを含むダウンリンク制御情報を、ユーザ機器に通知する工程と、ユーザ機器が、チャンネル符号化されるアップリンク制御情報のシンボルの数を決定する工程と、ユーザ機器が、物理アップリンク共有チャンネルを介して、決定されたシンボル数のアップリンク制御情報を基地局に送信する工程と、を含むことを特徴する通信方法を含むことができる。
【０１６６】
また、本発明は、物理アップリンク共有チャンネル上におけるアップリンク制御情報の伝送のための通信方法であって、基地局が、物理アップリンク共有チャンネルを介したアップリンク制御情報の伝送のためのトリガを含むダウンリンク制御情報を、ユーザ機器に通知する工程と、ユーザ機器が、個別にチャンネル符号化されるアップリンク制御情報のシンボルの数を決定する工程と、ユーザ機器が、物理アップリンク共有チャンネルを介して、決定されたシンボル数のアップリンク制御情報を基地局に送信する工程と、を含むことを特徴する通信方法も含むことができる。
【０１６７】
また、本発明は、物理アップリンク共有チャンネル上におけるアップリンク制御情報の伝送のための通信方法であって、基地局が、物理アップリンク共有チャンネルを介したアップリンク制御情報の伝送のためのトリガを含むダウンリンク制御情報を、ユーザ機器に通知する工程と、ユーザ機器が、結合してチャンネル符号化されるアップリンク制御情報のシンボルの数を決定する工程と、ユーザ機器が、物理アップリンク共有チャンネルを介して、決定されたシンボル数のアップリンク制御情報を基地局に送信する工程と、を含むことを特徴する通信方法も含むことができる。
【０１６８】
また、本発明は、物理アップリンク共有チャンネル上におけるアップリンク制御情報の伝送のための通信方法であって、基地局が、物理アップリンク共有チャンネルを介したアップリンク制御情報の伝送のためのトリガを含むダウンリンク制御情報を、ユーザ機器に通知する工程と、ユーザ機器が、層に基づいてチャンネル符号化されるアップリンク制御情報のシンボルの数を決定する工程と、ユーザ機器が、物理アップリンク共有チャンネルを介して、決定されたシンボル数のアップリンク制御情報を基地局に送信する工程と、を含むことを特徴する通信方法も含むことができる。
【０１６９】
本発明の通信方法では、上記アップリンク制御情報は、チャンネル品質インジケータを含む。
【０１７０】
また、本発明の通信方法において、上記アップリンク制御情報は、プリコーディングマトリクスインデックスを含む。別の実施形態では、プリコーディングマトリクスインデックスは、２種類のマトリクスで示される。
【０１７１】
また、本発明は、物理アップリンク共有チャンネル上におけるアップリンク制御情報の伝送のためのユーザ機器の通信方法であって、物理アップリンク共有チャンネルを介したアップリンク制御情報の伝送のためのトリガを含むダウンリンク制御情報を、基地局から通知される工程と、チャンネル符号化されるアップリンク制御情報のシンボルの数を決定する工程と、物理アップリンク共有チャンネルを介して、決定されたシンボル数のアップリンク制御情報を基地局に送信する工程と、を含むことを特徴するユーザ機器の通信方法も含むことができる。
【０１７２】
また、本発明は、物理アップリンク共有チャンネル上におけるアップリンク制御情報の伝送のためのユーザ機器の通信方法であって、物理アップリンク共有チャンネルを介したアップリンク制御情報の伝送のためのトリガを含むダウンリンク制御情報を、基地局から通知される工程と、別々にチャンネル符号化されるアップリンク制御情報のシンボルの数を決定する工程と、物理アップリンク共有チャンネルを介して、決定されたシンボル数のアップリンク制御情報を基地局に送信する工程と、を含むことを特徴するユーザ機器の通信方法も含むことができる。
【０１７３】
また、本発明は、物理アップリンク共有チャンネル上におけるアップリンク制御情報の伝送のためのユーザ機器の通信方法であって、物理アップリンク共有チャンネルを介したアップリンク制御情報の伝送のためのトリガを含むダウンリンク制御情報を、基地局から通知される工程と、結合してチャンネル符号化されるアップリンク制御情報のシンボルの数を決定する工程と、物理アップリンク共有チャンネルを介して、決定されたシンボル数のアップリンク制御情報を基地局に送信する工程と、を含むことを特徴するユーザ機器の通信方法も含むことができる。
【０１７４】
また、本発明は、物理アップリンク共有チャンネル上におけるアップリンク制御情報の伝送のためのユーザ機器の通信方法であって、物理アップリンク共有チャンネルを介したアップリンク制御情報の伝送のためのトリガを含むダウンリンク制御情報を、基地局から通知される工程と、層に基づいてチャンネル符号化されるアップリンク制御情報のシンボルの数を決定する工程と、物理アップリンク共有チャンネルを介して、決定されたシンボル数のアップリンク制御情報を基地局に送信する工程と、を含むことを特徴するユーザ機器の通信方法も含むことができる。
【０１７５】
本発明の通信方法では、上記アップリンク制御情報は、チャンネル品質インジケータを含む。
【０１７６】
また、本発明の通信方法において、上記アップリンク制御情報は、プリコーディングマトリクスインデックスを含む。別の実施形態では、プリコーディングマトリクスインデックスは、２種類のマトリクスで示される。
【０１７７】
本発明のいくつかの実施形態は、上記サイクリックリダンダンシーチェック（ＣＲＣ）ビットの数は、各ダウンリンクのコンポーネントキャリアに対するチャンネル状態情報ビットを連結することによって得られたビット数を用いて決定されることを特徴とするユーザ機器を開示する。
【０１７８】
本発明のいくつかの実施形態は、上記チャンネル状態情報は、チャンネル品質インジケータを含むことを特徴とするユーザ機器を開示する。
【０１７９】
本発明のいくつかの実施形態は、上記チャンネル状態情報は、プリコーディングマトリクスインジケータを含むことを特徴とするユーザ機器を開示する。
【０１８０】
本発明のいくつかの実施形態は、上記チャンネル状態情報は、広帯域のプリコーディングマトリクスインジケータを含むことを特徴とするユーザ機器を開示する。
【０１８１】
本発明のいくつかの実施形態は、上記サイクリックリダンダンシーチェック（ＣＲＣ）ビットの数は、各ダウンリンクのコンポーネントキャリアに対するチャンネル状態情報ビットを連結することによって得られたビット数を用いて、ユーザ機器によって決定されることを特徴とする基地局装置を開示する。
【０１８２】
本発明のいくつかの実施形態は、上記チャンネル状態情報は、チャンネル品質インジケータを含むことを特徴とする基地局装置を開示する。
【０１８３】
本発明のいくつかの実施形態は、上記チャンネル状態情報は、プリコーディングマトリクスインジケータを含むことを特徴とする基地局装置を開示する。
【０１８４】
本発明のいくつかの実施形態は、上記チャンネル状態情報は、広帯域のプリコーディングマトリクスインジケータを含むことを特徴とする基地局装置を開示する。
【０１８５】
さらに、本発明は以下のように表現することもできる。
【０１８６】
（第１の発明）アップリンク制御情報の伝送のためのユーザ機器装置であって、アップリンク制御情報の伝送のためのトリガを含むダウンリンク制御情報の通知を基地局から受信するための受信部と、チャンネル符号化されるアップリンク制御情報のシンボルの数を決定するためのシンボル数決定部と、決定されたシンボル数のチャンネル符号化されたアップリンク制御情報を基地局装置に送信するための送信部とを備えているユーザ機器装置。
【０１８７】
本発明によれば、データ伝送のために複数のダウンリンクのコンポーネントキャリアが設定されている場合であっても、チャンネル符号化されるアップリンク制御情報のシンボル数を決定することによって、ＰＵＳＣＨを介して、基地局に増加したＵＣＩを効果的に送信することができる。このスケジューリングによれば、異なる数のチャンネル符号化されるＵＣＩのシンボルを容易に推定することができる。これによって、（１）基地局および移動局がＰＵＳＣＨ上において適応性のあるＵＣＩの多重化方式を実行でき、（２）基地局および移動局が効果的なチャンネル符号化性能を実現できるという効果が得られる。
【０１８８】
（第２の発明）上記シンボル数決定部は、基地局からユーザ機器装置へ通知されたダウンリンクのコンポーネントキャリアごとに個別にシンボルの数を決定してもよいことを特徴とする第１の発明に記載のユーザ機器装置。
【０１８９】
個別にシンボルの数を決定することによって、１つのＣＣのＵＣＩ上で発生している受信エラーが、他のＣＣのＵＣＩの受信に影響を与えないという効果が得られる。また、個別チャンネル符号化は、ＬＴＥのリリース８．０にて定義されているものと完全に適合する。
【０１９０】
（第３の発明）上記シンボル数決定部は、基地局からユーザ機器装置へ通知された複数のダウンリンクのコンポーネントキャリアに対して、結合してシンボルの数を決定してもよいことを特徴とする第１の発明に記載のユーザ機器装置。
【０１９１】
結合してシンボルの数を決定することによって、冗長ビットを節約できるという（すなわち、いくつかのリソース要素をデータ伝送のために節約できるという）効果が得られる。また、それにより、新しいロバストなチャンネル符号化方式をリソース要素と同じコストで導入することができる。
【０１９２】
（第４の発明）上記シンボル数決定部は、基地局からユーザ機器装置へのダウンリンクのトランスポートブロックによってマッピングされた層の数に従ってシンボルの数を決定してもよいことを特徴とする第１の発明に記載のユーザ機器装置。
【０１９３】
マッピングされた層の数に従ってシンボルの数を決定することによって、個別にシンボルを決定することによって得られる効果と、結合してシンボルを決定することによって得られる効果との折衷効果が得られる。換言すれば、複数のＣＣへの受信エラーの影響を低減する効果と、冗長ビットを節約できるという効果とを組み合わせた効果が得られる。
【０１９４】
（第５の発明）上記アップリンク制御情報は、チャンネル品質インジケータを含んでもよいことを特徴とする第１の発明に記載のユーザ機器装置。
【０１９５】
これによって、基地局とユーザ機器との間でより効率的な伝送制御（スケジューリング）を構築するという効果が得られる。
【０１９６】
（第６の発明）上記アップリンク制御情報は、プリコーディングマトリクスインジケータを含んでもよいことを特徴とする第１の発明に記載のユーザ機器装置。
【０１９７】
これによって、基地局とユーザ機器との間でより効率的な伝送制御（スケジューリング）を構築するという効果が得られる。
【０１９８】
（第７の発明）上記プリコーディングマトリクスは、１種類のマトリクスで示されてもよく、上記１種類のマトリクスは、（ｉ）広帯域、および／または長期間のチャンネル特性、または（ｉｉ）有効なチャンネルの瞬時特性に対応することを特徴とする第６の発明に記載のユーザ機器装置。
【０１９９】
これによって、基地局とユーザ機器との間でより効率的な伝送制御（スケジューリング）を構築するという効果が得られる。
【０２００】
（第８の発明）上記プリコーディングマトリクスは、２種類のマトリクスで示され、上記２種類のマトリクスのうち一方のマトリクスは、広帯域および／または長期間のチャンネル特性に対応し、他方のマトリクスは、有効なチャンネルの瞬時特性に対応することを特徴とする第６の発明に記載のユーザ機器装置。
【０２０１】
これによって、基地局とユーザ機器との間でより効率的な伝送制御（スケジューリング）を構築するという効果が得られる。
【０２０２】
（第９の発明）上記アップリンク制御情報の伝送は、物理アップリンク共有チャンネル上で行われてもよいことを特徴とする第１の発明に記載のユーザ機器装置。
【０２０３】
これによって、基地局とユーザ機器との間でより効率的な伝送制御（スケジューリング）を構築するという効果が得られる。
【０２０４】
（第１０の発明）アップリンク制御情報の伝送のための基地局装置であって、アップリンク制御情報の伝送のためのトリガを含むダウンリンク制御情報の通知をユーザ機器に送信するための送信部と、ユーザ機器によって決定されたシンボル数のチャンネル符号化されるアップリンク制御情報をユーザ機器装置から受信するための受信部とを備えている基地局装置。
【０２０５】
これによって、基地局および移動局がＰＵＳＣＨ上における適応的なＵＣＩの多重化方式を実行でき、基地局および移動局が効果的なチャンネル符号化性能を実現できるという効果が得られる。
【０２０６】
（第１１の発明）ユーザ機器装置と基地局装置とを備えたアップリンク制御情報の伝送のための通信システムであって、アップリンク情報の伝送のためのトリガを含むダウンリンク制御情報の通知を送信するための基地局における送信部と、アップリンク情報の伝送のためのトリガを含むダウンリンク制御情報の通知を受信するためのユーザ機器装置における受信部と、チャンネル符号化されるアップリンク制御情報のシンボルの数を決定するためのユーザ機器装置におけるシンボル数決定部と、決定されたシンボル数のチャンネル符号化されたアップリンク制御情報を送信するためのユーザ機器装置における送信部と、決定されたシンボル数のチャンネル符号化されたアップリンク制御情報を受信するための基地局装置における受信部とを備える通信システム。
【０２０７】
これによって、基地局および移動局がＰＵＳＣＨ上において適応的なＵＣＩの多重化方式を実行でき、基地局および移動局が効果的なチャンネル符号化性能を実現できるという効果が得られる。
【０２０８】
（第１２の発明）アップリンク制御情報の伝送のためのユーザ機器装置の通信方法であって、アップリンク制御情報の伝送のためのトリガを含むダウンリンク制御情報の通知を基地局から受信する工程と、チャンネル符号化されるアップリンク制御情報のシンボルの数を決定する工程と、決定されたシンボル数のチャンネル符号化されたアップリンク制御情報を基地局装置に送信する工程とを含むユーザ機器装置の通信方法。
【０２０９】
これによって、基地局および移動局がＰＵＳＣＨ上において適応的なＵＣＩの多重化方式を実行でき、基地局および移動局が効果的なチャンネル符号化性能を実現できるという効果が得られる。
【０２１０】
（第１３の発明）アップリンク制御情報の伝送のための基地局装置の通信方法であって、アップリンク制御情報の伝送のためのトリガを含むダウンリンク制御情報の通知をユーザ機器に送信する工程と、ユーザ機器によって決定されたシンボル数のチャンネル符号化されたアップリンク制御情報をユーザ機器装置から受信する工程とを含むユーザ機器装置の通信方法。
【０２１１】
これによって、基地局および移動局がＰＵＳＣＨ上において適応的なＵＣＩの多重化方式を実行でき、基地局および移動局が効果的なチャンネル符号化性能を実現できるという効果が得られる。
【０２１２】
（第１４の発明）ユーザ機器装置と基地局装置とを備えたアップリンク制御情報の伝送のための通信システムの通信方法であって、アップリンク情報の伝送のためのトリガを含むダウンリンク情報の通知を基地局装置から送信する工程と、アップリンク情報の伝送のためのトリガを含むダウンリンク制御情報の通知をユーザ機器装置で受信する工程と、チャンネル符号化されるアップリンク制御情報のシンボルの数をユーザ機器装置において決定する工程と、決定されたシンボル数のチャンネル符号化されたアップリンク制御情報をユーザ機器装置から送信する工程と、決定されたシンボル数のチャンネル符号化されたアップリンク制御情報を基地局装置で受信する工程とを含む通信システムの通信方法。
【０２１３】
これによって、基地局および移動局がＰＵＳＣＨ上において適応的なＵＣＩの多重化方式を実行でき、基地局および移動局が効果的なチャンネル符号化性能を実現できるという効果が得られる。
【０２１４】
本発明の具体的な実施形態および応用を例示し、説明してきたが、本発明は、本明細書に開示された構成や構成要素に厳密に限定されるものではないということを理解すべきである。当業者には明らかであろう様々な変形、変更、および変化は、本発明の精神および範囲から逸脱することなく、本明細書に開示された本発明の方法およびシステムの構成、操作、および詳細において行ってもよい。
【産業上の利用可能性】
【０２１５】
本発明は、第３世代（３Ｇ）、スーパー第３世代（Ｓ３Ｇ）、第４世代（４Ｇ）携帯電話移動通信、デジタルテレビ、ワイヤレスローカルエリアネットワーク（ＷＬＡＮ）、自己組織化ネットワーク（Ｍｅｓｈ、Ａｄ  Ｈｏｃ、Ｃｅｎｓｏｒ  Ｎｅｔｗｏｒｋ）、電子ホーム（ｅホーム）ネットワーク、ワイヤレスワイドエリアネットワーク（ＷＷＡＮ）等の任意のシステムに適用可能である。
【図１】
0006019091.tif 000026
【図２】
0006019091.tif 000027
【図３】
0006019091.tif 000028
【図４】
0006019091.tif 000029
【図５】
0006019091.tif 000030
【図６】
0006019091.tif 000031
【図７】
0006019091.tif 000032
【図８】
0006019091.tif 000033
【図９】
0006019091.tif 000034
【図１０】
0006019091.tif 000035
【図１１】
0006019091.tif 000036
【図１２】
0006019091.tif 000037